(57)【要約】  胸骨の第１および第２の側部半分を固定するための胸骨閉鎖アセンブリである。アセンブリは、雌部を有する第１の摺動本体と、雄部を有する第２の摺動本体とを含み、雄部は、雌部と入れ子式に嵌合可能である。雄部は、雄部および雌部の少なくとも一方の少なくとも一部の弾性変形がある場合にのみ、雌部内に完全に導入されることができ、雄部および雌部は、第２の本体が第１の本体と嵌合されたとき、雄部と雌部との間の強制的な係合、また、第１の摺動本体の相互接続ブリッジ部材から上方に延在する非変形歯の第１の組と、第２の摺動本体の相互接続ブリッジ部材から上方に延在する非変形歯の第２の組との間の強制的な係合を弾性変形がもたらすように構成されている。【選択図】図２Ａ
2019500118.tif 000002
【特許請求の範囲】
【請求項１】
長手方向に切断された胸骨の第１および第２の側部半分を固定するための胸骨閉鎖アセンブリにおいて、
第１の相互接続ブリッジ部材と、前記第１の相互接続ブリッジ部材から下方に延在する少なくとも１つの脚部とを含む第１の摺動本体部材であって、前記少なくとも１つの脚部が前記胸骨の前記第１の側部半分の外縁に当接するように構成され、前記第１の相互接続ブリッジ部材が所定の長さを有しかつ雌部を備え、前記雌部が前記第１の相互接続ブリッジ部材の基部によって部分的に区切られ、前記基部が前記第１の相互接続ブリッジ部材の前記長さに対して略横方向に配置された複数の上向き突出歯を備える頂面を含む、第１の摺動本体部材と、
前記第１の摺動本体と入れ子式に嵌合可能な第２の摺動本体であって、第２の相互接続ブリッジ部材と、前記第２の相互接続ブリッジ部材から下方に延在する少なくとも１つの脚部とを含み、前記少なくとも１つの脚部が前記胸骨の前記第２の側部半分の外縁に当接するように構成され、前記第２の相互接続ブリッジ部材が所定の長さを有しかつ雄部を備え、前記第２の相互接続ブリッジ部材が、前記複数の上向き突出歯と係合可能な複数の下向き突出歯を備える底面を有し、前記複数の下向き突出歯が前記第２の相互接続ブリッジ部材の前記長さに対して略横方向に配置された、第２の摺動本体とを備え、
前記第１および第２の摺動部材が嵌合されたとき、または入れ子式に嵌合されたとき、前記第１の相互接続ブリッジ部材の前記基部に対する前記複数の上向き突出歯の位置の変化も、前記第２の相互接続ブリッジ部材の前記底面に対する前記複数の下向き突出歯の位置の変化もなく、前記胸骨閉鎖アセンブリの入れ子短縮のみを許容するように、前記複数の上向き突出歯および下向き突出歯が互いに係合するように構成され、
前記雄部および前記雌部の少なくとも一方の少なくとも一部の弾性変形が生じたときにのみ前記雄部が前記雌部内に導入されることができ、前記第２の摺動本体が前記第１の摺動本体と嵌合されたとき、前記弾性変形が前記雄部と前記雌部との間の強制的な係合を、また前記複数の上向き突出歯と下向き突出歯との間の強制的な係合をもたらすように前記雄部および前記雌部が構成されている、胸骨閉鎖アセンブリ。
【請求項２】
前記雌部が、少なくとも１つの壁によって区切られたチャネルを備え、前記少なくとも１つの壁が、前記雄部が前記雌部内に導入されたときに外方に曲げることによって弾性変形するように構成されている、請求項１に記載の胸骨閉鎖アセンブリ。
【請求項３】
前記雌部が、少なくとも第１の壁と第２の壁とによって区切られたチャネルを備え、前記第１の壁が前記第１の相互接続ブリッジ部材の基部から延在し、前記第２の壁が前記第１の壁に接続されかつ前記基部の少なくとも一部にわたって延在し、前記雄部が前記雌部内に導入されたとき、前記第１の壁が外方に曲がることによって弾性変形するように構成されている、請求項１に記載の胸骨閉鎖アセンブリ。
【請求項４】
前記雌部が、少なくとも第１の壁と第２の壁とによって区切られたチャネルを備え、前記第１の壁が前記第１の相互接続ブリッジ部材の基部から延在し、前記第２の壁が前記第１の壁に接続されかつ前記基部の少なくとも一部にわたって延在し、前記雄部が前記雌部内に導入されたとき、前記第２の壁が外方に曲がることによって弾性変形するように構成されている、請求項１に記載の胸骨閉鎖アセンブリ。
【請求項５】
前記雌部が、少なくとも第１の壁と第２の壁とによって区切られたチャネルを備え、前記第１の壁が前記第１の相互接続ブリッジ部材の基部から延在し、前記第２の壁が前記第１の壁に接続されかつ前記基部の少なくとも一部にわたって延在し、前記第１および第２の壁のそれぞれが、前記雄部が前記雌部内に導入されたとき、外方に曲がることによって弾性変形するように構成されている、請求項１に記載の胸骨閉鎖アセンブリ。
【請求項６】
前記雌部が、少なくともＬ字状壁によって区切られたチャネルを備え、前記Ｌ字状壁が、前記第１の相互接続ブリッジ部材の基部から略直交して延在する第１のセグメントと、前記基部の少なくとも一部にわたって延在する前記第１のセグメントに接続された第２のセグメントとを含み、前記雄部が前記雌部内に導入されたとき、前記第１および第２のセグメントの少なくとも一方が外方に曲がるように、前記Ｌ字状壁が弾性変形するように構成されている、請求項１に記載の胸骨閉鎖アセンブリ。
【請求項７】
前記雌部が前記雌部内に導入されたとき、前記雄部が弾性変形可能に構成され、前記雌部が変形しないように構成されている、請求項１に記載の胸骨閉鎖アセンブリ。
【請求項８】
前記雄部が前記雌部内に導入されたとき、前記雌部が弾性変形可能に構成され、前記雄部が変形しないように構成されている、請求項１に記載の胸骨閉鎖アセンブリ。
【請求項９】
前記雄部および前記雌部の双方が、前記雄部が前記雌部内に導入されたときに弾性変形するように構成されている、請求項１に記載の胸骨閉鎖アセンブリ。
【請求項１０】
前記雄部が弾性部材を備え、前記雄部が、前記弾性部材が前記雌部内に嵌合するように少なくとも部分的に圧縮されるのを必要とする寸法的特性を有する、請求項１に記載の胸骨閉鎖アセンブリ。
【請求項１１】
前記雄部が、前記雄部が前記雌部内に導入されたときに変形しないように構成された第１の部分を含み、前記弾性部材が前記第１の部分とは別個に形成されかつ前記第１の部分に取り付けられている、請求項１０に記載の胸骨閉鎖アセンブリ。
【請求項１２】
前記雌部が弾性部材を備え、前記雄部が、前記雌部内に嵌合するように前記雄部のために前記弾性部材が少なくとも部分的に圧縮されるのを必要とする寸法的特性を有する、請求項１に記載の胸骨閉鎖アセンブリ。
【請求項１３】
前記雌部が、前記雄部が前記雌部内に導入されたときに変形しないように構成された第１の部分を含み、前記弾性部材が前記第１の部分とは別個に形成されかつ前記第１の部分に取り付けられている、請求項１２に記載の胸骨閉鎖アセンブリ。
【請求項１４】
前記雌部が、前記雄部の一部を受け入れるように構成されたチャネルを備え、前記チャネルが、少なくとも上壁および下壁によって区切られかつ第１の高さ寸法を有し、前記雄部が前記第２の相互接続ブリッジ部材の基部から略直交して延在する複数の弾性変形可能な離間したタブを含み、前記雄部が、前記雄部が前記チャネル内に導入される前に前記第１の高さ寸法よりも高い第２の高さ寸法を有し、前記複数のタブが、前記部分がチャネル内に導入されたときに前記基部に向かう方向に曲がるように構成されている、請求項１に記載の胸骨閉鎖アセンブリ。
【請求項１５】
前記複数のタブの少なくともいくつかが、前端および後端を有するランプの形態の前縁を含み、前記前端が、前記後端の高さよりも低い高さを有する、請求項１４に記載の胸骨閉鎖アセンブリ。
【請求項１６】
前記雌部が、
前記第１の相互接続ブリッジ部材の基部の第１の側部および第２の側面からそれぞれ延在する第１および第２の壁セグメントと、
前記第１の壁セグメントに接続されかつ前記基部および前記第１の壁セグメントとともに第１の細長いチャネルを形成する第３の壁セグメントであって、前記基部にわたって少なくとも部分的に延在する第３の壁セグメントと、
前記第２の壁セグメントに接続されかつ前記基部および前記第２の壁セグメントとともに第２の細長いチャネルを形成する第４の壁セグメントであって、前記基部にわたって少なくとも部分的に延在する第４の壁セグメントと、
前記第３および第４の壁セグメントの間に存在し、所定の幅を有するギャップと、を備え、
前記雄部が、
前記第２の摺動本体が前記第１の摺動本体と入れ子式に嵌合されたときに前記第１のチャネル内に存在するように構成された第１の部分と、
前記第２の摺動本体が前記第１の摺動本体と入れ子式に嵌合されたときに前記第２のチャネル内に存在するように構成された第２の部分と、
前記第１および前記第２の部分と同延でありかつ前記第１および前記第２の部分の間に位置する第３の部分であって、前記ギャップの幅よりも大きい所定距離だけ離間した第１および第２の対向する側壁を有する第３の部分と、
を備える、請求項１に記載の胸骨閉鎖アセンブリ。
【請求項１７】
前記雌部の前記第１および第２の壁セグメントの一方または双方が、前記雄部が前記雌部内に導入されたときに外方に曲がることによって弾性変形するように構成されている、請求項１６に記載の胸骨閉鎖アセンブリ。
【請求項１８】
前記第１の相互接続ブリッジ部材が、第１の側部および第２の側部を有する基部を備え、前記雌部が、前記第１および第２の側部のそれぞれから延在する第１および第２の略Ｌ字状部材を有し、前記第１および第２の略Ｌ字状部材が、前記基部とともに第１および第２の細長いチャネルを形成し、前記第１および第２の略Ｌ字状部材のそれぞれが、前記基部から延在する第１の壁セグメントと、前記第１の壁セグメントに接続された第２の壁セグメントとを有し、前記第２の壁セグメントのそれぞれが、複数の前記第２の壁セグメント間にギャップが存在しながら前記基部にわたって少なくとも部分的に延在し、前記基部および前記第２の壁セグメントのそれぞれが第１の高さ寸法だけ離間し、前記雄部が、前記第１および第２の摺動本体が入れ子式に嵌合されたときに前記雌部の前記第１および第２の細長いチャネルの内部にそれぞれ存在するように構成された第１および第２の細長い部材を備え、前記第１および第２の細長い部材のそれぞれが、第１の端部および第２の端部を有するランプの形態の前部を含み、前記第１の端部が前記第１の高さ寸法よりも低い高さ寸法を有し、前記第２の端部が前記第１の高さ寸法よりも高い高さ寸法を有する、請求項１に記載の胸骨閉鎖アセンブリ。
【請求項１９】
前記第１および第２の細長い部材のそれぞれが、弾性材料を含みかつ前記第１および第２の細長い部材が前記第１および第２のチャネルのそれぞれに嵌合されるために前記弾性材料の圧縮を必要とする寸法的特性を有する、請求項１８に記載の胸骨閉鎖アセンブリ。
【請求項２０】
前記雌部の少なくとも一部が弾性変形するように構成され、前記雄部が、前記雌部内に導入されたときに前記雄部が変形しないように構成されている、請求項１８に記載の胸骨閉鎖アセンブリ。
【請求項２１】
前記雄部の前記第１および第２の細長い部材のそれぞれが、前記雄部が前記雌部内に導入されたときに弾性変形するように構成されている、請求項１８に記載の胸骨閉鎖アセンブリ。
【請求項２２】
前記雌部の少なくとも一部が弾性変形するように構成され、前記雄部の前記第１および第２の細長い部材のそれぞれが、前記雄部が前記雌部内に導入されたときに弾性変形するように構成されている、請求項２１に記載の胸骨閉鎖アセンブリ。
【発明の詳細な説明】
【技術分野】
【０００１】
本出願は、２０１５年１２月１６日に出願された米国特許出願第１４／９７１，２９４号の利益および優先権に関し、それらを主張する。
【０００２】
本発明は、長手方向に切断された胸骨の第１および第２の側部半分を互いに固定するためのアセンブリに関する。
【背景技術】
【０００３】
米国特許第８９３６６２８号は、切断された胸骨の周りに固定可能となるように入れ子式に嵌合された第１の摺動本体部材および第２の摺動本体部材を有する胸骨クランプアセンブリを開示している。第１および第２の摺動本体部材は、第１および第２の摺動部材を取り囲む縫合糸によって一体に固定される。第１および第２の摺動部材が一体に固定される方法は、第１および第２の部材から離れた部分（すなわち、縫合糸）と、縫合糸をアセンブリの周りに慎重に組み立てる時間のかかる退屈な作業とを必要とする。
【発明の概要】
【発明が解決しようとする課題】
【０００４】
本発明の目的は、胸骨閉鎖アセンブリの入れ子式に嵌合可能な第１および第２の摺動部材を一体に固定する際に支援する方法を提供することである。
【課題を解決するための手段】
【０００５】
一実施形態によれば、長手方向に切断された胸骨の第１および第２の側部半分を固定するための胸骨閉鎖アセンブリにおいて、第１の相互接続ブリッジ部材と、第１の相互接続ブリッジ部材から下方に延在する少なくとも１つの脚部とを含む第１の摺動本体であって、少なくとも１つの脚部が胸骨の第１の側部半分の外縁に当接するように構成され、第１の相互接続ブリッジ部材が雌部を含む、第１の摺動本体と、第１の摺動本体と入れ子式に嵌合可能な第２の摺動本体であって、第２の相互接続ブリッジ部材と、第２の相互接続ブリッジ部材から下方に延在する少なくとも１つの脚部とを含み、少なくとも１つの脚部が胸骨の第２の側部半分の外縁に当接するように構成され、第２の相互接続ブリッジ部材が雄部を含む、第２の摺動本体とを備え、雄部および雌部の少なくとも一方の少なくとも一部の弾性変形がある場合にのみ雄部が雌部内に完全に導入されることができ、第２の本体が第１の本体と嵌合されたとき、弾性変形が第１の摺動本体上で第２の摺動本体を保持するのを支援するために雄部と雌部との間における強制的な係合を生じさせるように雄部および雌部が構成されている、胸骨閉鎖アセンブリが提供される。それゆえに、第１および第２の摺動本体を入れ子式に嵌合させる動作によって生成された内部生成力は、第１の摺動本体上に第２の摺動本体を保持するのを支援するように機能する。
【０００６】
他の実施形態によれば、長手方向に切断された胸骨の第１および第２の側部半分を固定するための胸骨閉鎖アセンブリにおいて、第１の相互接続ブリッジ部材と、第１の相互接続ブリッジ部材から下方に延在する少なくとも１つの脚部とを含む第１の摺動本体部材であって、少なくとも１つの脚部が胸骨の第１の側部半分の外縁に当接するように構成され、第１の相互接続ブリッジ部材が所定の長さを有しかつ雌部を備え、雌部が第１の相互接続ブリッジ部材の基部によって部分的に区切られ、基部が第１の相互接続ブリッジ部材の長さに対して略横方向に配置された複数の上向き突出歯を備える頂面を含む、第１の摺動本体部材と、第１の摺動本体と入れ子式に嵌合可能な第２の摺動本体であって、第２の相互接続ブリッジ部材と、第２の相互接続ブリッジ部材から下方に延在する少なくとも１つの脚部とを含み、少なくとも１つの脚部が胸骨の第２の側部半分の外縁に当接するように構成され、第２の相互接続ブリッジ部材が所定の長さを有しかつ雄部を備え、第２の相互接続ブリッジ部材が、複数の上向き突出歯と係合可能な複数の下向き突出歯を備える底面を有し、複数の下向き突出歯が第２の相互接続ブリッジ部材の長さに対して略横方向に配置された、第２の摺動本体とを備え、第１および第２の摺動部材が嵌合されたとき、または入れ子式に嵌合されたとき、第１の相互接続ブリッジ部材の基部に対する複数の上向き突出歯の位置の変化も、第２の相互接続ブリッジ部材の底面に対する複数の下向き突出歯の位置の変化もなく、胸骨閉鎖アセンブリの入れ子短縮のみを許容するように、複数の上向き突出歯および下向き突出歯が互いに係合するように構成され、雄部および雌部の少なくとも一方の少なくとも一部の弾性変形が生じたときにのみ雄部が雌部内に導入されることができ、第２の摺動本体が第１の摺動本体と嵌合されたとき、弾性変形が雄部と雌部との間の強制的な係合を、また複数の上向き突出歯と下向き突出歯との間の強制的な係合をもたらすように雄部および雌部が構成されている、胸骨閉鎖アセンブリが提供される。
【図面の簡単な説明】
【０００７】
【図１Ａ】一実施形態にかかる胸骨閉鎖アセンブリの第１の摺動本体であって、雌部を有する相互接続ブリッジ部材を含む第１の摺動本体の斜視図を示している。
【図１Ｂ】一実施形態にかかる胸骨閉鎖アセンブリの第２の摺動本体であって、雄部を有する相互接続ブリッジ部材を含む第２の摺動本体の斜視図を示している。
【図２Ａ】入れ子式に嵌合される図１Ａおよび図１Ｂに示される第１および第２の摺動本体の斜視図を示している。
【図２Ｂ】第１および第２の摺動本体が入れ子式に嵌合されたときの図１Ａおよび図１Ｂに示される雌部および雄部の拡大部分斜視図を示している。
【図３】図１および図２に示される雌部の断面図を示している。
【図４Ａ】他の実施形態にかかる雌部および雄部の断面図を示している。
【図４Ｂ】図４Ａに示される雌部および雄部の拡大部分斜視図を示している。
【図５Ａ】他の実施形態にかかる雌部および雄部の断面図を示している。
【図５Ｂ】図５Ａに示される雌部および雄部の拡大部分斜視図を示している。
【図６】他の実施形態にかかる雌部および雄部の断面図を示している。
【図７】他の実施形態にかかる雌部および雄部の断面図を示している。
【図８】いくつかの実施形態にかかる雄部の平面図を示している。
【図９Ａ】一実施形態にかかる胸骨閉鎖アセンブリの第１の摺動本体であって、相互接続ブリッジ部材の長さに対して略横方向に配置された複数の上向き突出歯を有する相互接続ブリッジ部材を含む第１の摺動本体の斜視図を示している。
【図９Ｂ】一実施形態にかかる胸骨閉鎖アセンブリの第２の摺動本体であって、相互接続ブリッジ部材の長さに対して略横方向に配置された複数の下向き突出歯を有する相互接続ブリッジ部材を含む第２の摺動本体の斜視図を示している。
【図１０】他の実施形態にかかる、複数の下向き突出歯と上向き突出歯との間の強制的な係合を提供するために使用可能な雌部および雄部の断面図を示している。
【図１１】他の実施形態にかかる、複数の下向き突出歯と上向き突出歯との間の強制的な係合を提供するために使用可能な雌部および雄部の断面図を示している。
【図１２】他の実施形態にかかる、複数の下向き突出歯と上向き突出歯との間の強制的な係合を提供するために使用可能な雌部および雄部の断面図を示している。
【図１３】他の実施形態にかかる、複数の下向き突出歯と上向き突出歯との間の強制的な係合を提供するために使用可能な雌部および雄部の断面図を示している。
【発明を実施するための形態】
【０００８】
図１Ａおよび図１Ｂは、一実施形態にかかる胸骨閉鎖アセンブリの第１および第２の摺動本体の斜視図を示している。第１および第２の摺動本体は、長手方向に切断された胸骨の第１および第２の側部半分を固定するように構成されている。第１の摺動本体１は、前端４と後端５とを有する相互接続ブリッジ部材３を含む。後端５から下方に延在しているのは脚部６であり、脚部６は、胸骨の第１の側部半分の外縁に当接するように構成されている。第２の摺動本体２は、前端８と後端９とを有する相互接続ブリッジ部材７を含む。後端９から下方に延在しているのは脚部１０であり、脚部１０は、胸骨の第２の側部半分の外縁に当接するように構成されている。図２に示すように、第１および第２の摺動本体１および２は、実際には脚部間の切断された胸骨の第１および第２の半分の固定を達成するために脚部６および１０が互いに対して移動可能であるように、入れ子式に接合されるように構成されている。
【０００９】
第１の摺動本体１の相互接続ブリッジ部材３は、第２の摺動本体２の相互接続ブリッジ部材７に含まれる雄部１２を受け入れるように構成された雌部１１を備える。図１〜図４の実施形態において、雌部１１は、２つの対向するチャネル１４ａおよび１４ｂを含む。チャネル１４ａは、相互接続ブリッジ部材３の基部１３の一部ならびに第１および第２の壁１５ａおよび１６ａによって区切られている。チャネル１４ｂは、相互接続ブリッジ部材３の基部１３の一部ならびに第１および第２の壁１５ｂおよび１６ｂによって区切られている。壁１５ａ、１５ｂのそれぞれは、基部１３から上方向に延在し、壁１６ａおよび１６ｂのそれぞれは、壁１５ａおよび１５ｂにそれぞれ接続され、基部１３の少なくとも一部にわたって延在している。一実施形態によれば、壁１５ａ、１６ａおよび壁１６ｂ、１６ｂは、図で示されるようにＬ字状部材を形成し、壁１５ａおよび１５ｂは、基部１３に対して略直交するように配置される。チャネル１４ａおよび１４ｂを形成する壁または複数の壁は、他の形状および角度の向きを含んでもよいことに留意することが重要である。
【００１０】
一実施形態によれば、雄部１２は、中央本体の両側から延在する第１および第２のフランジ部１８ａおよび１８ｂを有する中央本体１７を含む。第１および第２のフランジ部１８ａおよび１８ｂのそれぞれは、フランジ１８ａおよび１８ｂのそれぞれの基部２１から上向きに延在する複数の離間したタブ１９を含む。図２Ａおよび図２Ｂに示されるように、雄部１２が雌部１１内に導入される前に、雌部１１におけるチャネル１４ａおよび１４ｂの高さＨ１は、雄部１２の基部２１の底部から測定したときタブ１９の頂部２０の高さＨ２よりも小さい。図１〜図３に示されるように、いくつかの実施形態によれば、雄部１２の中央本体１７は、雌部１１の中央空洞２２内に存在し、高さＨ１よりも高い高さＨ３を有する。いくつかの実施形態によれば、中央本体１７の幅は、雌部が雄部１２と組み立てられていないときの空洞２２の幅よりも僅かに小さいか等しい。この中央本体１７の高さおよび幅の特徴は、第１および第２の摺動本体１および２が入れ子式に嵌合されたときに、雌部１１との雄部１２の長手方向の整列を維持するのを支援することができる。
【００１１】
一実施形態によれば、タブ１９は、図２Ｂに示されるように、それらがチャネル１４ａおよび１４ｂの閉じ込められた空間内に導入されたとき、下方向Ａに撓むように弾性変形されることができる。タブ１９の弾力特性の結果として、それらの元の形状を少なくとも部分的にとるようにそれらが内方に付勢される点で、第２の摺動本体２を第１の摺動本体１上に保持するのを支援するように雌部１１と雄部１２との間の強制的な係合が達成される。
【００１２】
いくつかの実施形態によれば、雌部１１は、雄部１２のタブ１９がチャネル内に導入されたときにチャネル１４ａおよび１４ｂがそれらの形状を実質的に維持するように構成される。他の実施形態によれば、雌部は、タブ１９がチャネル内に導入されたときに上方または外方に曲がるチャネル１４ａ、１４ｂを形成する１つ以上の壁によって同様に弾性変形するように構成される。例えば、図２Ｂに示されるように、チャネル１４ｂの壁１６ｂは、方向Ｂにおいて弾性的に上方に曲がることができ、および／または壁１５ｂは、方向Ｃにおいて弾性的に外方に曲がることができる。チャネル１４ａの壁１５ａおよび１５ｂについても同様である。
【００１３】
他の実施形態によれば、タブ１９は、雌部１１のチャネル１４ａ、１４ｂ内に導入されたときに変形しない。そのような実施形態によれば、雌部１１は、弾性変形するように構成され、タブ１９がチャネル内に導入されたときに、チャネル１４ａ、１４ｂを形成する１つ以上の壁は、上方または外方に曲がる。例えば、チャネル１４ｂの壁１６ｂは、方向Ｂにおいて弾性的に上方に曲がり、および／または壁１５ｂは、図３に示されるものと同様に方向Ｃにおいて弾性的に外方に曲がることができる。チャネル１４ａの壁１５ａおよび１５ｂについても同様である。
【００１４】
いくつかの実施形態によれば、図１および図２に示されるように、タブ１９は、ランプの形態の前縁２６を有する。ランプは、前端の高さが後端の高さよりも低い前端２７と後端２８とを有する。傾斜した構成は、雌部１１の各チャネル１４ａ、１４ｂ内へのタブ１９のそれぞれの急激な導入に対する漸増を可能とする。ランプを含むことは、第２の摺動本体２が第１の摺動本体１と嵌合されたときに、タブ１９をチャネル１４ａ、１４ｂ内に導入するのを容易とする。ランプを含むことはまた、チャネル１４ａ、１４ｂ内に導入されたときにタブ１９が破損する可能性も低減する。
【００１５】
いくつかの実施形態によれば、第１および第２の摺動本体２のそれぞれは、例えば成形プロセスによって単一の部品からそれぞれ構成される一体構造である。いくつかの実施形態によれば、雄部１２のタブ１９は、別個に形成され、次いで接着剤、熱溶接などによって第２の摺動本体２に取り付けられる。
【００１６】
図３は、雌部１１を備える相互接続ブリッジ部材３の断面を示している。いくつかの実施形態によれば、図３に示されるように、チャネル１４ａおよび１４ｂのそれぞれの上壁面２４および下壁面２５には、雌部１１との雄部１２の接合を妨げるように作用する起伏または他の特徴が実質的にない。これは、有利には、第１および第２の摺動本体を嵌合するのに必要な力量を最小にする。上述したように、いくつかの実施形態によれば、１つ以上の壁１５ａおよび１５ｂは、雄部および雌部が嵌合されると、外方に弾性的に曲がるように構成されてもよく、および／または１つ以上の壁１６ａおよび１６ｂは、上方に弾性的に曲がるように構成されてもよい。いくつかの実施形態によれば、方向Ｃにおける壁１５ａおよび１５ｂの外方への曲げを容易とするために、チャネル１４ａおよび１４ｂの高さ寸法Ｈ１は、各壁１６ａおよび１６ｂの幅寸法Ｗ１よりも１と半分（１．５）倍以上であるように選択される。方向Ｃにおける壁１５ａおよび１５ｂの外方への曲げはまた、壁１５ａ、１５ｂの頂部またはその近くの幅寸法Ｗ３と比較して、壁の基部またはその近くの縮小した幅寸法Ｗ２を有するように構成することによって容易とされることができる。
【００１７】
上記および下記の例において、雌部１１は、雄部１２の２つの相補的な部分を受け入れるための少なくとも２つのチャネルを有するものとして開示されている。例えば、前述の開示において、雌部１１は、雄部１２の両側に配置された１組のタブ１９をそれぞれ受け入れる第１および第２のチャネル１４ａ、１４ｂを有するものとして記載されている。しかしながら、雌部１１は、雄部１２の２つの相補的な部分よりも小さいかまたは大きい受け入れのための２つのチャネルよりも小さいかまたは大きいものを含んでもよいことが想定される。これは、本明細書において開示または想定されている実施形態のそれぞれについてあてはまる。
【００１８】
引き続き図１〜図３を参照すると、上述したように、第１および第２の摺動本体１および２のそれぞれは、例えば、単一の部品として射出成形される一体構造を備えることができる。そのような実施形態によれば、第１および第２の本体１および２の一方または双方は、少なくとも部分的に弾性変形可能な材料から成形されることができる。材料は、例えば、ポリエーテルエーテルケトン（ＰＥＥＫ）とすることができる。
【００１９】
図４〜図７は、他の実施形態にかかる胸骨閉鎖アセンブリの雄部および雌部を示している。これらの雌部および雄部は、上述した図１〜図３の胸骨閉鎖アセンブリの雌部１１および雄部１２のそれぞれの代替例である。
【００２０】
図４Ａは、上述した雌部１１と同様の構成を有する雌部１１１を示している。雌部１１１は、２つの対向するチャネル１１４ａおよび１１４ｂを含む。チャネル１１４ａは、相互接続ブリッジ部材３の基部１１３の一部によってかつ第１および第２の壁１１５ａおよび１１６ａによって区切られる。チャネル１１４ｂは、相互接続ブリッジ部材７の基部１１３の一部によってかつ第１および第２の壁１１５ｂおよび１１６ｂによって区切られる。壁１１５ａおよび１１５ｂのそれぞれは、基部１１３から上方向に延在しており、壁１１６ａおよび１１６ｂのそれぞれは、壁１１５ａおよび１１５ｂにそれぞれ接続され、基部１１３の少なくとも一部にわたって延在している。一実施形態によれば、壁１１５ａ、１１６ａおよび壁１１５ｂ、１１６ｂは、図に示されるようなＬ字状部材を形成する。チャネル１１４ａおよび１１４ｂを形成する壁または複数の壁は、他の形状および角度の向きを含んでもよいことに留意することが重要である。
【００２１】
一実施形態によれば、雄部１１２は、中央本体の両側から延在する第１および第２のフランジ部１１８ａおよび１１８ｂを有する中央本体１１２ａを含む。第１および第２のフランジ部１１８ａおよび１１８ｂのそれぞれには、少なくとも部分的に弾性変形可能な細長い弾性部材１２０ａおよび１２０ｂがそれぞれ支持される表面１１９ａおよび１１９ｂが設けられている。細長い弾性部材は、胸骨閉鎖アセンブリの他の部分と同様に、好ましくは低アレルギー性材料から構成される。いくつかの実施形態によれば、チャネル１１４ａ、１１４ｂならびに弾性部材１２０ａおよび１２０ｂは、各相互接続ブリッジ部材３および７の長さの少なくとも大部分に沿って延在している。雄部１１１の寸法的特性は、雄部１１２が雌部１１１内に嵌合されるために細長い部材１２０ａおよび１２０ｂが少なくとも部分的に圧縮されなければならないようなものである。弾性的である結果として、弾性変形可能部材１２０ａおよび１２０ｂが圧縮状態にあるとき、それらは、少なくとも部分的に元の形状に内方に付勢される。これは、第２の摺動本体２を第１の摺動本体１上に保持するのを支援する雌部１１１と雄部１１２との間の強制的な係合を生じさせる。
【００２２】
図４Ｂは、雌部１１１内に導入されているときの雄部１１２を示している。示された実施形態において、細長い弾性変形可能部材１２０ｂは、雌部１１２のチャネル１１４ｂの高さＨ１に等しいかそれよりも低い高さを有する前端１３０を含む。これは、変形可能部材１２０ｂのチャネル１１４ｂ内への容易な導入を容易とする。図４Ｂに示されるように、変形可能部材１２０ｂの高さは、雄部１１２の基部から測定したとき高さＨ２まで傾斜して増加することができる。それにより、Ｈ１よりも高い高さを有する変形可能部材１２０ｂの部分は、チャネル１１４ｂ内に導入されたときに高さＨ１をとるように圧縮される。上述したように、弾性変形可能な部材１２０ａおよび１２０ｂは、少なくとも部分的に、それらの元の形状をとるように連続的に内方に付勢されていることから、第２の摺動本体２を第１の摺動本体１上に保持するのを支援するように雌部と雄部との間の強制的な係合が達成される。
【００２３】
図４Ａおよび図４Ｂに示されるように、いくつかの実施形態によれば、雄部１１２の中央本体１２Ａの上部は、雌部１１１の中央空洞１２２内に存在し、高さＨ１よりも高い高さＨ３を有する。いくつかの実施例によれば、中央本体の上部の幅は、雌部１１１が雄部１１２と組み立てられていないときに空洞１２２の幅よりも僅かに小さいか等しい。この中央本体の高さおよび幅は、第１および第２の摺動本体１および２が入れ子式に嵌合されたとき、雌部および雄部１１１および１１２の長手方向の整列を維持するのを支援することができる。
【００２４】
いくつかの実施形態によれば、雌部１１１は、雄部１１２の細長い部材１２０ａおよび１２０ｂが各チャネル内に導入されたとき、チャネル１１４ａおよび１１４ｂがそれらの形状を維持するように構成される。他の実施形態によれば、図４Ａに示されるように、雌部１１１は、細長い弾性部材１２０ａおよび１２０ｂがチャネル内に導入されたとき、方向Ｃにおいて外方に曲がるチャネル１１４ａおよび１１４ｂを形成する１つ以上の壁によって同様に弾性変形するように構成される。例えば、壁１１６ａおよび１１６ｂは、方向Ｂにおいて弾性的に上方に曲がり、および／または壁１１５ａおよび１１５ｂは、方向Ｃにおいて弾性的に外方に曲がることができる。この壁の曲げは、互いに入れ子式に嵌合されると互いに固定された関係で第１および第２の摺動本体１および２を維持するのを支援するように追加の力の形成をもたらすことができる。例えば、図４Ａに示されるように、壁１１５ａ、１１５ｂ、１１６ａ、１１６ｂの少なくともいくつかの曲げは、基部１１３の上面１４０を雄部１１２の底面１４１に押し付けさせるように基部１１３を上方向Ｄに曲げさせることができる。この同じ現象は、上述した図１〜図３の実施形態にも適用可能である。
【００２５】
上述したように、いくつかの実施形態によれば、雄部１１２の中央本体１１２Ａの上部は、雌部１１１が雄部１１２と組み立てられていないときに空洞１２２の幅よりも僅かに小さいか等しい幅を有する。しかしながら、他の実施形態によれば、上部の少なくとも１つの部分の幅は、雌部１１１が静止状態にあるとき（すなわち、雌部１１１が雄部１１２と組み立てられていないとき）、空洞１２２の幅よりも大きい。図７に示されるように、この特徴は、方向Ｃにおいてアーム１１５ａ、１１５ｂを外方に弾性的に曲げさせるように単独で使用されることができ、ひいては上方向Ｄにおける基部１１３の曲げをもたらすことができる。上述したように、この基部１１３の曲げは、有利には、基部１１３の上面１４０を雄部１１２の底面１４１に押し付けさせる。この特徴は、図７のように単独で使用されてもよく、または図１〜図５の胸骨閉鎖アセンブリの他の態様と一体化されてもよいことに留意することが重要である。
【００２６】
図７に示されるように、いくつかの実施形態によれば、雄部１１１の外側壁３０１ａおよび３０１ｂは、中央本体の下端部３１０の幅寸法が上端３１１の幅よりも大きくなるように傾斜している。そのような構成によれば、側壁３０１ａおよび３０１ｂと各端壁１１７ａおよび１１７ｂとの間の接触面は、側壁３０１および端壁１１７の異なる角度方向の結果として最小にされる。この雄部１１２と雌部１１１との間の接触面の最小化は、それらが入れ子式に嵌合されたときに２つの間の摩擦力を低減し、それにより、雌部１１１と雄部１１２を組み立てるのに必要な力量を低減する。
【００２７】
いくつかの実施形態によれば、図８に示されるように、雄部１１１の中央本体の外側壁３０１ａと３０１ｂとの間の距離は、その長さに沿って異なる。図８は、一実施形態にかかる図７に示された雄部１１１の平面図を示している。雄部の前端３２０は、雌部が静止状態にあるとき（すなわち、雄部１１２が雌部１１１に組み立てられていないとき）、雌部１１１の端壁１１７ａと１１７ｂとの間の距離よりも小さい幅を有する。これは、雌部１１１内への雄部１１２のより容易な初期導入を容易とする。前端３２０より遠位において、側壁３０１ａと３０１ｂとの間の距離は、雌部が静止状態にあるときに雌部１１１の端壁１１７ａと１１７ｂとの間の距離よりも大きい。いくつかの実施形態によれば、外側壁３０１ａと３０１ｂとの間の距離は、図８に示されるようなランプ状に増加する。
【００２８】
図５Ａおよび図５Ｂは、他の実施形態を示しており、細長い弾性部材１２０ａおよび１２０ｂは、雄部１１２に取り付けられるのではなく、雌部１１１のチャネル１１４ａおよび１１４ｂの内面にそれぞれ取り付けられる。雄部１１２は、雌部１１１との雄部１１２の入れ子式結合の間および結合後に第１および第２の摺動本体１および２をともに保持するのを支援するために、各細長い弾性部材１２０ａおよび１２０ｂと相互作用するように構成された、中央本体１１２Ａの各側面から延在するフランジ部１７０ａおよび１７０ｂを含む。上記および下記に記載された実施形態と同様に、第１および第２の摺動本体１および２は、雄部１１２を雌部１１１内に長さ方向に摺動させることによって組み立てられる。図５Ａおよび図５Ｂに示される実施形態において、フランジ部１７０ａおよび１７０ｂの少なくとも一部は、チャネル１１４ａおよび１１４ｂの高さＨ２よりも高い高さＨ１を有する。したがって、フランジ部１７０ａ、１７０ｂがチャネル１１４ａ、１１４ｂ内に導入されると、フランジ部１７０ａ、１７０ｂは、それらの形状を保持するとともに、細長い弾性部材１２０ａ、１２０ｂは圧縮される。これは、入れ子式の嵌合プロセスの間および後の双方において第１および第２の摺動部をともに保持するのを支援する雌部１１１と雄部１１２との間の強制的な係合をもたらす。
【００２９】
図５Ｂは、フランジ部１７０ｂの前端１７２がチャネル１１４ｂ内に導入されている時点における胸骨閉鎖アセンブリの一側面の斜視図である。図５Ｂの実施形態によれば、フランジ部のチャネル１１４ｂ内への容易な導入を容易とするために、前端１７２の高さは、チャネル１１４ｂの高さＨ２とほぼ同じかまたはそれよりも低い。第２の摺動部材２の後端９に向かう方向にフランジ部１７０ｂの長さに沿って進行すると、フランジ部の高さは、少なくとも最初は高さＨ１まで（ランプ１７１を介して）傾斜状に増加する。
【００３０】
図６は、雄部２１２が雌部２１１内に導入されたときに変形しない材料からなる他の実施形態を示している。雌部２１１は、雌部２１１内に導入された雄部２１２に対して弾性変形可能な１つ以上の壁を有する２つの対向するチャネル２１４ａおよび２１４ｂを含む。チャネル２１４ａは、長手方向の上部の基部２１３の一部によってかつ第１および第２の壁２１５ａおよび２１６ａによって区切られている。チャネル２１４ｂは、長手方向の上部の基部２１３の一部によってかつ第１および第２の壁２１５ｂおよび２１６ｂによって区切られている。壁２１５ａおよび２１５ｂのそれぞれは、壁２１５ａおよび２１５ｂにそれぞれ接続されかつ基部２１３の少なくとも一部にわたって延在する壁２１６ａおよび２１６ｂのそれぞれを有する基部２１３から上方向に延在している。上述したように、雄部２１２が雌部２１２内に導入されると、チャネル２１４ａおよび２１４ｂのサイズが拡大されるように、壁２１５ａおよび２１６ａならびに壁２１５ｂおよび２１６ｂの少なくとも１つは弾性変形可能である。一実施形態によれば、壁２１５ａ、２１６ａおよび壁２１６ｂ、２１６ｂは、図５に示されるようにＬ字状部材を形成する。チャネル２１４ａおよび２１４ｂを形成する壁または複数の壁は、他の形状および角度の向きを含むことができることに留意することが重要である。
【００３１】
一実施形態によれば、雄部２１２は、第１および第２のフランジ部２５１ａおよび２５１ｂを有する中央本体２５０を含む。第１および第２のフランジ部２５１ａおよび２５１ｂのそれぞれには、胸骨閉鎖アセンブリの第１のおよび第２の本体１および２が入れ子式に嵌合されたときに、壁２１６ａおよび２１６ｂの少なくとも一部にそれぞれ支持される表面２６０ａおよび２６０ｂが設けられている。雌部が静止状態にあるとき、チャネル２１４ａおよび２１４ｂの高さは、各フランジ部２５１ａおよび２５１ｂの高さＨよりも低い。第１および第２の本体１および２がともに組み立てられるとき、チャネル２１４ａおよび２１４ｂを区切る１つ以上の壁が弾性的に外方に曲がり、雄部２１２が雌部１１１内に導入されるのを可能とする。これは、フランジ面２６０ａおよび２６０ｂと、そこに支持されている各壁２１６ａおよび２１６ｂの内面との間に接触力を生じさせる。
【００３２】
図４Ｂに示される実施形態と同様に、第１および第２のフランジ部２５１ａおよび２５１ｂは、雌部２１１が静止状態にあるとき、それらが各チャネル２１４ａおよび２１４ｂの高さと等しいかそれよりも低い高さを有する前端を有することができる点で、細長い部材１２０ａおよび１２０ｂと同様の輪郭を有することができる。これは、各チャネル１１４ａおよび１１４ｂ内へのフランジ部２５１ａおよび２５１ｂの容易な導入を容易とする。図４Ｂの場合と同様に、フランジ部２５１ａおよび２５１ｂの高さは、傾斜状に前端より遠位に増加することができる。
【００３３】
いくつかの実施形態によれば、雌部２１１および雄部２１２の機械的および寸法的特性は、方向Ｂにおいて外方に弾性的に曲がる壁２１６ａおよび２１６ｂおよび／または方向Ｃにおいて外方に弾性的に曲がる壁２１５ａおよび２１５ｂをもたらす。これは、入れ子式にそれらが嵌合されると互いに固定された関係で第１および第２の本体１および２を維持するのを支援するように追加の力の形成をもたらすことができる。例えば、図６に示されるように、壁２１５ａおよび２１５ｂの一方または双方の外方への曲げは、基部２１３の上面２４０を雄部１１２の底面２４１に対して押し付けさせるように基部２１３を上方向Ｄに曲げさせることができる。
【００３４】
図９Ａおよび図９Ｂは、それぞれ、他の実施形態にかかる胸骨閉鎖アセンブリの第１および第２の摺動本体５０１および５０２を示している。第１および第２の摺動本体５０１および５０１は、図１Ａおよび図１Ｂに示した第１および第２の摺動本体１および２と同様である。このアセンブリは、第１の相互接続ブリッジ部材５０３の基部５１３が第１の相互接続ブリッジ部材の長さに対して略横方向に配置された複数の上向き突出歯５１５を含む上面５１４を有する点で異なる。アセンブリはまた、第２の相互接続ブリッジ部材５０７の底面５１６が第２の相互接続ブリッジ部材の長さに対して略横方向に配置されかつ複数の上向き突出歯５１５と係合可能な複数の下向き突出歯５１７を備える点で異なる。第１および第２の摺動部材が嵌合されるか、または入れ子式に嵌合されたとき、複数の上向き突出および下向き突出歯５１５および５１７は、胸骨閉鎖アセンブリの入れ子式短縮のみを許容するように互いに係合するように構成され、複数の上向き突出歯および下向き突出歯は、第１の相互接続ブリッジ部材５０３の基部５１３に対する複数の上向き突出歯５１５の位置の変化も、第２の相互接続ブリッジ部材５０７の底面５１６に対する複数の下向き突出歯５１７の位置の変化もなく、胸骨閉鎖アセンブリの入れ子短縮のみを許容するように、互いに係合するように構成されている。図１〜図３の実施形態と同様に、雄部５１２は、雄部および雌部の少なくとも一方の少なくとも一部の弾性変形がある場合にのみ、雌部５１１内に導入されることができる。雄部および雌部は、第２の摺動本体５０２が第１の摺動本体５０１と嵌合されたとき、雄部と雌部との間の強制的な係合を、また、複数の上向き突出歯１１５と下向き突出歯１１７との間の強制的な係合を弾性変形がもたらすように構成されている。
【００３５】
図１０〜図１３の実施形態のそれぞれは、上述した図４〜図７の実施形態のそれぞれと同様である。図１０〜図１３の実施形態は、前段落において記載されたように、第１の相互接続ブリッジ部材が複数の上向き突出歯５１５を備えかつ第２の相互接続ブリッジ部材５０７が複数の上向き突出歯５１５と係合可能な複数の下向き突出歯５１７を備える点で異なる。したがって、図１０〜図１３の各実施形態の雄部および雌部は、第２の摺動本体５０２が第１の摺動本体５０１と嵌合されたとき、雄部と雌部との間の強制的な係合を、また、複数の上向き突出歯１１５と下向き突出歯１１７との間の強制的な係合を弾性変形がもたらすように構成されている。
【００３６】
本明細書において多数の例示的な実施形態が開示されて記載された。しかしながら、本発明は、これらの例に限定されるものとは決して解釈されるべきではないことを理解されたい。
【図１Ａ】
2019500118.tif 000003
【図１Ｂ】
2019500118.tif 000004
【図２Ａ】
2019500118.tif 000005
【図２Ｂ】
2019500118.tif 000006
【図３】
2019500118.tif 000007
【図４Ａ】
2019500118.tif 000008
【図４Ｂ】
2019500118.tif 000009
【図５Ａ】
2019500118.tif 000010
【図５Ｂ】
2019500118.tif 000011
【図６】
2019500118.tif 000012
【図７】
2019500118.tif 000013
【図８】
2019500118.tif 000014
【図９Ａ】
2019500118.tif 000015
【図９Ｂ】
2019500118.tif 000016
【図１０】
2019500118.tif 000017
【図１１】
2019500118.tif 000018
【図１２】
2019500118.tif 000019
【図１３】
2019500118.tif 000020
【国際調査報告】
2019500118.tif 000021
2019500118.tif 000022
2019500118.tif 000023